(57)【要約】【課題】通話中、電源制御部をオフにするときに発生するノイズに起因する雑音を低減することを目的とする。【解決手段】この目的を達成するために本発明は、マスター通信装置１０と一又は複数のスレーブ通信装置２０との間で行われる無線通信システムの制御方法であって、特に、前記一又は複数のスレーブ通信装置２０が前記マスター通信装置１０から呼出停止の信号を受信した場合（ステップ１０８）前記一又は複数のスレーブ通信装置２０に備えた着信音生成部の電源制御部をオフにせず前記一又は複数のスレーブ通信装置２０が前記マスター通信装置１０から通信停止の信号を受信した場合（ステップ１１０）前記着信音生成部の電源制御部をオフにするステップ１１１を設けたものである。【選択図】  図２
2005020357.tif 000002
【特許請求の範囲】
【請求項１】
マスター通信装置と一又は複数のスレーブ通信装置との間で行われる無線通信システムの制御方法であって、前記一又は複数のスレーブ通信装置が前記マスター通信装置から呼出停止の信号を受信した場合前記一又は複数のスレーブ通信装置に備えた着信音生成部の電源制御部をオフにせず前記一又は複数のスレーブ通信装置が前記マスター通信装置から通信停止の信号を受信した場合前記着信音生成部の電源制御部をオフにする無線通信システムの制御方法。
【請求項２】
請求項１に記載のマスター通信装置として携帯電話を用い、一又は複数のスレーブ通信装置として無線ヘッドセットを用いた無線通信システムの制御方法。
【請求項３】
マスター通信装置と一又は複数のスレーブ通信装置との間で行われる無線通信システムの制御方法であって、
前記マスター通信装置の送信部から前記スレーブ通信装置の受信部に通信呼出情報を送信する第１ステップと、
前記スレーブ通信装置の受信部から前記スレーブ通信装置のコンピュータの第１の入力端子に前記通信呼出情報の受信を通知する第２ステップと、
前記通信呼出情報の受信の通知に基づき前記スレーブ通信装置の着信音生成部の電源制御部をオンする第３ステップと、
前記着信音生成部から信号加算器および信号増幅器を介してスピーカから着信音を発音する第４ステップと、
前記スレーブ通信装置の受信部に接続された通話スイッチから通話入力を検知する第５ステップと、
前記通話入力の検知に基づき前記マスター通信装置と前記スレーブ通信装置との間に音声通信用無線回線を形成する第６ステップと、
前記マスター通信装置の送信部から前記スレーブ通信装置の受信部に前記通信呼出情報の送信を停止する第７ステップと、
前記スレーブ通信装置の受信部から前記コンピュータの第１の入力端子に前記通信呼出情報の受信通知を停止するとともに前記コンピュータの第２の入力端子に通話通知する第８ステップと、
前記音声通信用無線回線を介して前記マスター通信装置と前記スレーブ通信装置との間で通話を行う第９ステップと、
通話中に通話スイッチがオンされることで通話の終了を検知し前記音声通信用無線回線を遮断するとともに前記スレーブ通信装置の受信部から前記コンピュータの第２の入力端子に通話通知を停止する第１０ステップと、
前記通話通知の停止に基づき前記着信音生成部の電源制御部をオフする第１１ステップと、からなる無線通信システムの制御方法。
【請求項４】
請求項３に記載のマスター通信装置として携帯電話を用い、一又は複数のスレーブ通信装置として無線ヘッドセットを用いた無線通信システムの制御方法。
【請求項５】
請求項３に記載の、前記スレーブ通信装置の受信部から前記スレーブ通信装置のコンピュータの第１の入力端子に前記通信呼出情報の受信を通知するステップにおいて、前記受信の通知を前記コンピュータの割り込み処理入力端子を用いて行う無線通信システムの制御方法。
【請求項６】
マスター通信装置として携帯電話を用い、一又は複数のスレーブ通信装置として無線ヘッドセットを用いた請求項５に記載の無線通信システムの制御方法。
【請求項７】
通信装置のコンピュータに実行させるための、無線通信システムの制御プログラムであって、
マスター通信装置の送信部から一又は複数のスレーブ通信装置の受信部に通信呼出情報を送信する第１ステップと、
前記スレーブ通信装置の受信部から前記スレーブ通信装置のコンピュータの第１の入力端子に前記通信呼出情報の受信を通知する第２ステップと、
前記通信呼出情報の受信の通知に基づき前記スレーブ通信装置の着信音生成部の電源制御部をオンする第３ステップと、
前記着信音生成部から信号加算器および信号増幅器を介してスピーカから着信音を発音する第４ステップと、
前記スレーブ通信装置の受信部に接続された通話スイッチから通話入力を検知する第５ステップと、
前記通話入力の検知に基づき前記マスター通信装置と前記スレーブ通信装置との間に音声通信用無線回線を形成する第６ステップと、
前記マスター通信装置の送信部から前記スレーブ通信装置の受信部に前記通信呼出情報の送信を停止する第７ステップと、
前記スレーブ通信装置の受信部から前記コンピュータの第１の入力端子に前記通信呼出情報の受信通知を停止するとともに前記コンピュータの第２の入力端子に通話通知する第８ステップと、
前記音声通信用無線回線を介して前記マスター通信装置と前記スレーブ通信装置との間で通話を行う第９ステップと、
通話中に通話スイッチがオンされることで通話の終了を検知し前記音声通信用無線回線を遮断するとともに前記スレーブ通信装置の受信部から前記コンピュータの第２の入力端子に通話通知を停止する第１０ステップと、
前記通話通知の停止に基づき前記着信音生成部の電源制御部をオフする第１１ステップと、を有する、無線通信システムの制御プログラム。
【請求項８】
請求項７に記載のマスター通信装置として携帯電話を用い、一又は複数のスレーブ通信装置として無線ヘッドセットを用いた無線通信システムの制御プログラム。
【請求項９】
請求項７に記載の、前記スレーブ通信装置の受信部から前記スレーブ通信装置のコンピュータの第１の入力端子に前記通信呼出情報の受信を通知するステップにおいて、前記受信の通知を前記コンピュータの割り込み処理入力端子を用いて行う無線通信システムの制御プログラム。
【請求項１０】
マスター通信装置として携帯電話を用い、一又は複数のスレーブ通信装置として無線ヘッドセットを用いた請求項９に記載の無線通信システムの制御プログラム。
【請求項１１】
請求項７〜１０のいずれか一つに記載の、無線通信システムの制御プログラムを記録したコンピュータ読みとり可能な記録媒体。
【請求項１２】
請求項７〜１０のいずれか一つに記載の、無線通信システムの制御プログラムをメモリ部に内蔵したコンピュータを用いた無線通信システム。
【発明の詳細な説明】
【０００１】
【発明の属する技術分野】
本発明は、無線により送受信する無線通信システムの制御方法、この制御プログラム、この制御プログラムを記録した記録媒体およびその制御プログラムを用いた無線通信システムに関するものである。
【０００２】
【従来の技術】
現在実用化されている無線により送受信する通信システムは、例えば図３に示すように、マスター通信装置１００の送信部１０１および受信部１０２と、スレーブ通信装置２００の送信部２０１および受信部２０２と、スレーブ通信装置２００を制御するコンピュータ２０３と、コンピュータ２０３に接続され着信音を生成する着信音生成部２０４と、コンピュータ２０３に接続され着信音生成部２０４の電源オン／オフを制御する電源制御部２０５と、受信部２０２からの音声通信信号をデジタル−アナログ変換するデジタル−アナログ変換器２０６と、着信音生成部２０４の着信信号とデジタル−アナログ変換器２０６の音声信号を加算し音信号を生成する加算器２０７と、加算器２０７からの音信号を増幅する増幅器２０９と、増幅器２０９からの増幅された音信号を発音するスピーカ２１０と、マイク２１１からの音声入力をアナログ−デジタル変換するアナログ−デジタル変換器２０８から構成されていた。
【０００３】
次に前記システムの動作について説明する。
【０００４】
マスター通信装置１００は、スレーブ通信装置２００と音声通信を開始するときに、マスター通信装置１００の送信部１０１からスレーブ通信装置２００の受信部２０２に通信呼出情報を送信する。スレーブ通信装置２００は、受信部２０２からコンピュータ２０３の入力端子２１２に前記通信呼出情報を受信したことを通知（受信通知）する。コンピュータ２０３はこの受信通知に基づき着信音生成部２０４の電源制御部２０５をオンする。着信音生成部２０４は着信音信号を送信し、加算器２０７と増幅器２０９を介してスピーカ２１０から着信音を発音する。受信部２０２に接続された通話スイッチ２１３から通話入力を検知すると、この通話入力に基づきマスター通信装置１００とスレーブ通信装置２００の間に音声通信用無線回線を形成する。この音声通信用無線回線の形成に基づきマスター通信装置１００の送信部１０１からスレーブ通信装置２００の受信部２０２への前記通信呼出情報の送信を停止し、スレーブ通信装置２００の受信部２０２からコンピュータ２０３の入力端子２１２への前記受信通知を停止する。コンピュータ２０３はこの受信通知の停止に基づき着信音生成部２０４の電源制御部２０５をオフする。このようにして形成された前記音声通信用無線回線を介してマスター通信装置１００とスレーブ通信装置２００との間で通話が行われる。例えば、マイク２１１から送話音声を入力しアナログ−デジタル変換器２０８でデジタル信号へ変換しスレーブ通信装置２００の送信部２０１から音声通信用無線回線を介してマスター通信装置１００の受信部１０２へ送信するとともにマスター通信装置１００の送信部１０１からスレーブ通信装置２００の受信部２０２に前記音声通信用無線回線を介して受話音声信号を送信しデジタル−アナログ変換器２０６でアナログ信号に変換し加算器２０７と増幅器２０９を介してスピーカ２１０から受話音声が発音されることで通話する。通話中に通話スイッチ２１３がオンされると、受信部２０２が通話の終了を検知し前記音声通信用無線回線を遮断する。
【０００５】
なお、この出願の発明に関連する先行技術文献情報としては、例えば、特許文献１が知られている。
【０００６】
【特許文献１】
特開２０００−１１５３００号公報
【０００７】
【発明が解決しようとする課題】
このような通信システムでは、電気的な妨害音を少なくし、明瞭な音声通信を行うことが要望されているが、前記構成では以下の問題点があった。
【０００８】
すなわち、コンピュータ２０３が受話通知の停止に基づいて電源制御部２０５をオフにするときに発生するノイズが着信音生成部２０４に入力されるため、この着信音生成部２０４から出力される着信音信号にこのノイズが加わり、その結果、通話中に、加算器２０７および増幅器２０９を介してスピーカ２１０で雑音が発生するという問題があった。
【０００９】
そこで本発明は、この雑音を低減することを目的とする。
【００１０】
【課題を解決するための手段】
この目的を達成するために本発明の請求項１に記載の発明は、マスター通信装置と一又は複数のスレーブ通信装置との間で行われる無線通信システムの制御方法であって、前記一又は複数のスレーブ通信装置が前記マスター通信装置から呼出停止の信号を受信した場合前記一又は複数のスレーブ通信装置に備えた着信音生成部の電源制御部をオフにせず前記一又は複数のスレーブ通信装置が前記マスター通信装置から通信停止の信号を受信した場合前記着信音生成部の電源制御部をオフにする無線通信システムの制御方法であり、通話終了後に電源制御部をオフするのでこれに起因する、通話中の雑音を低減することができるという作用効果を奏する。
【００１１】
請求項２に記載の発明は、請求項１に記載のマスター通信装置として携帯電話を用い、一又は複数のスレーブ通信装置として無線ヘッドセットを用いた無線通信システムの制御方法であり、請求項１と同様の作用効果を奏する。
【００１２】
請求項３に記載の発明は、特に、前記スレーブ通信装置の受信部から前記コンピュータの第１の入力端子に前記通信呼出情報の受信通知を停止するとともに前記コンピュータの第２の入力端子に通話通知する第８ステップと、
通話中に通話スイッチがオンされることで通話の終了を検知し前記音声通信用無線回線を遮断するとともに前記スレーブ通信装置の受信部から前記コンピュータの第２の入力端子に通話通知を停止する第１０ステップと、
前記通話通知の停止に基づき前記着信音生成部の電源制御部をオフする第１１ステップと、を設けることにより通話終了後に電源制御部をオフするので、これに起因する、通話中の雑音を低減することができるという作用効果を奏する。
【００１３】
請求項４に記載の発明は、請求項３に記載のマスター通信装置として携帯電話を用い、一又は複数のスレーブ通信装置として無線ヘッドセットを用いた無線通信システムの制御方法であり、請求項２と同様の作用効果を奏する。
【００１４】
請求項５に記載の発明は、請求項３に記載の、前記スレーブ通信装置の受信部から前記スレーブ通信装置のコンピュータの第１の入力端子に前記通信呼出情報の受信を通知するステップにおいて、前記受信の通知を前記コンピュータの割り込み処理入力端子を用いて行う無線通信システムの制御方法であり、通話中でないときにコンピュータを休止させ省電力化する、いわゆるスタンバイモードに設定していてもコンピュータは受話通知を受け取ることができるという作用効果を奏する。
【００１５】
請求項６に記載の発明は、マスター通信装置として携帯電話を用い、一又は複数のスレーブ通信装置として無線ヘッドセットを用いた請求項５に記載の無線通信システムの制御方法であり、請求項２と同様の作用効果を奏する。
【００１６】
請求項７に記載の発明は、特に、スレーブ通信装置の受信部からコンピュータの第１の入力端子に通信呼出情報の受信通知を停止するとともに前記コンピュータの第２の入力端子に通話通知する第８ステップと、
通話中に通話スイッチがオンされることで通話の終了を検知し音声通信用無線回線を遮断するとともに前記スレーブ通信装置の受信部から前記コンピュータの第２の入力端子に通話通知を停止する第１０ステップと、
前記通話通知の停止に基づき着信音生成部の電源制御部をオフする第１１ステップと、を設けることにより通話終了後に電源制御部をオフするので、これに起因する、通話中の雑音を低減することができるという作用効果を奏する。
【００１７】
請求項８に記載の発明は、請求項７に記載のマスター通信装置として携帯電話を用い、一又は複数のスレーブ通信装置として無線ヘッドセットを用いた無線通信システムの制御プログラムであり、請求項７と同様の作用効果を奏する。
【００１８】
請求項９に記載の発明は、請求項７に記載の、前記スレーブ通信装置の受信部から前記スレーブ通信装置のコンピュータの第１の入力端子に前記通信呼出情報の受信を通知するステップにおいて、前記受信の通知を前記コンピュータの割り込み処理入力端子を用いて行う無線通信システムの制御プログラムであり、通話中でないときにコンピュータを休止させ省電力化する、いわゆるスタンバイモードに設定していてもコンピュータは受話通知を受け取ることができるという作用効果を奏する。
【００１９】
請求項１０に記載の発明は、マスター通信装置として携帯電話を用い、一又は複数のスレーブ通信装置として無線ヘッドセットを用いた請求項９に記載の無線通信システムの制御プログラムであり、請求項８と同様の作用効果を奏する。
【００２０】
請求項１１に記載の発明は、請求項７〜１０のいずれか一つに記載の、無線通信システムの制御プログラムを記録したコンピュータ読みとり可能な記録媒体であり、磁気ディスク、光ディスク等の可搬性の記録媒体にこの制御プログラムが記録されることにより前記請求項７〜１０のいずれか一つに記載の作用効果の形態化、流通化が促進され、一箇所に拘束されることなく様々な無線通信システムに容易に実施することができ、前記作用効果を実現することができる。
【００２１】
請求項１２に記載の発明は、請求項７〜１０のいずれか一つに記載の、無線通信システムの制御プログラムをメモリ部に内蔵したコンピュータを用いた無線通信システムであり、無線通信システムとして前記請求項７〜１０のいずれか一つに記載の作用効果を得ることができる。
【００２２】
【発明の実施の形態】
以下、本発明の無線通信システムの制御方法、この制御プログラム、この制御プログラムを記録した記録媒体およびその制御プログラムを用いた無線通信システムについて一実施の形態および図面を用いて説明する。
【００２３】
図１は本発明の無線通信システムを示すブロック図であり、図１に示すように、マスター通信装置１０の送信部１１および受信部１２と、スレーブ通信装置２０の送信部２１および受信部２２と、スレーブ通信装置２０を制御するコンピュータ２３と、コンピュータ２３に接続され着信音を生成する着信音生成部２４と、コンピュータ２３に接続され着信音生成部２４の電源オン／オフを制御する電源制御部２５と、受信部２２からの音声通信信号をデジタル−アナログ変換するデジタル−アナログ変換器２６と、着信音生成部２４の着信信号とデジタル−アナログ変換器２６の音声信号を加算し音信号を生成する加算器２７と、加算器２７からの音信号を増幅する増幅器２９と、増幅器２９からの増幅された音信号を発音するスピーカ３０と、マイク３１からの音声入力をアナログ−デジタル変換するアナログ−デジタル変換器２８から構成されている。
【００２４】
次に本システムの動作について図２を用いて説明する。
【００２５】
マスター通信装置１０は、スレーブ通信装置２０と音声通信を開始するときに、マスター通信装置１０の送信部１１からスレーブ通信装置２０の受信部２２に通信呼出情報を送信する（第１ステップ１０１）。スレーブ通信装置２０は、受信部２２からコンピュータ２３の第１の入力端子３２に前記通信呼出情報を受信したことを通知（受信通知）する（第２ステップ１０２）。コンピュータ２３はこの受信通知に基づき着信音生成部２４の電源制御部２５をオンする（第３ステップ１０３）。これにより着信音生成部２４は着信音信号を送信し、加算器２７と増幅器２９を介してスピーカ３０から着信音を発音する（第４ステップ１０４）。そして、受信部２２に接続された通話スイッチ３３から通話入力を検知する（第５ステップ１０５）と、この検知に基づきマスター通信装置１０とスレーブ通信装置２０の間に音声通信用無線回線を形成する（第６ステップ１０６）。この音声通信用無線回線の形成に基づきマスター通信装置１０の送信部１１からスレーブ通信装置２０の受信部２２への前記通信呼出情報の送信を停止し（第７ステップ１０７）、スレーブ通信装置２０の受信部２２からコンピュータ２３の第１の入力端子３２への前記受信通知を停止する。ここでスレーブ通信装置２０の受信部２２からコンピュータ２３の第１の入力端子３２への通信呼出情報の受信通知を停止するとともにスレーブ通信装置２０の受信部２２からコンピュータ２３の第２の入力端子３４へ通話通知する（第８ステップ１０８）。マイク３１から送話音声を入力しアナログ−デジタル変換器２８でデジタル信号へ変換しスレーブ通信装置２０の送信部２１から前記音声通信用無線回線を介してマスター通信装置１０の受信部１２へ送信するとともにマスター通信装置１０の送信部１１からスレーブ通信装置２０の受信部２２に前記音声通信用無線回線を介して受話音声信号を送信しデジタル−アナログ変換器２６でアナログ信号に変換し加算器２７と増幅器２９を介してスピーカ３０から受話音声を発音することで通話する（第９ステップ１０９）。通話中に通話スイッチ３３がオンされると、受信部２２が通話の終了を検知し、前記音声通信用無線回線を遮断するとともにコンピュータ２３の第２の入力端子３４への前記通話通知の停止し（第１０ステップ１１０）、これに基づき着信音生成部２４の電源制御部２５をオフする（第１１ステップ１１１）。
【００２６】
すなわち、第１の入力端子３２への前記通信呼出情報の受信通知を停止したときには電源制御部２５をオフにせず、通話が終了したときに、つまり通話スイッチ３３をオンしたときに前記電源制御部２５をオフにするのである。
【００２７】
これにより通話中にスピーカ３０で電源制御部２５のオフによる雑音を低減することができる。
【００２８】
また、前記スレーブ通信装置２０の受信部２２から前記スレーブ通信装置２０のコンピュータ２３の第１の入力端子３２に前記通信呼出情報を受信したことを通知（受信通知）するステップ１０２において、この受信通知を前記コンピュータ２３の割り込み処理入力端子（図示せず）を用いて行うことにより、通話中でないときにコンピュータ２３を休止させ省電力化する、いわゆるスタンバイモードに設定していてもコンピュータ２３は前記受話通知を受け取ることができる。
【００２９】
上記ステップ１０１〜１１１からなる、無線通信システムの制御方法はスレーブ通信装置２０のコンピュータ２３に実行させるための、無線通信システムの制御プログラムとして前記コンピュータ２３内のメモリ部（図示せず）に内蔵されて実行される。このメモリ部は、前記コンピュータ２３に接続された外部記憶装置でもよく、また、前記プログラムを記録したコンピュータ読み出し可能な記録媒体を用いて実行してもよい。
【００３０】
また、マスター通信装置１０として携帯電話を、スレーブ通信装置２０として無線ヘッドセットをそれぞれ用いることができる。これらを用いる場合でも同様の作用効果を奏するものである。
【００３１】
【発明の効果】
以上のように本発明は、マスター通信装置と一又は複数のスレーブ通信装置との間で行われる無線通信システムの制御方法であって、前記一又は複数のスレーブ通信装置が前記マスター通信装置から呼出停止の信号を受信した場合前記一又は複数のスレーブ通信装置に備えた着信音生成部の電源制御部をオフにせず前記一又は複数のスレーブ通信装置が前記マスター通信装置から通信停止の信号を受信した場合前記着信音生成部の電源制御部をオフにする無線通信システムの制御方法であり、通話終了後に電源制御部をオフするのでこれに起因する、通話中の雑音を低減することができるという作用効果を奏する。
【図面の簡単な説明】
【図１】本発明の一実施の形態における無線通信システムのブロック図
【図２】本発明の一実施の形態における無線通信システムの制御方法のフロー図
【図３】従来の無線通信システムのブロック図
【符号の説明】
１０  マスター通信装置
１１  送信部
１２  受信部
２０  スレーブ通信装置
２１  送信部
２２  受信部
２３  コンピュータ
２４  着信音生成部
２５  電源制御部
２６  デジタル−アナログ変換器
２７  加算器
２８  アナログ−デジタル変換器
２９  増幅器
３０  スピーカ
３１  マイク
３２  第１の入力端子
３３  通話スイッチ
３４  第２の入力端子
【図１】
2005020357.tif 000003
【図２】
2005020357.tif 000004
【図３】
2005020357.tif 000005